(57)【要約】【課題】  簡単な構造であって、連結している複数のパネルの一部を容易に交換することが可能であり、繰り返し使用しても連結強度が低下することがないパネル連結構造を提供することにある。【解決手段】  このパネル連結構造は、第１のパネル１の側端部１ａから突出する第１の係合片１ｂと、隣接する第２のパネル２，３の側端部２ａ，３ａから突出する第２の係合片２ｂ，３ｂと、第１のパネル１の側端部１ａ付近に回動自在に軸着され、第２のパネル２，３側に突出するパネル係合部４ａを有するパネル連結具４と、を備えている。  第２の係合片２ｂ，３ｂを第１の係合片１ｂとパネル係合部４ａとで挟持することでパネルの側端部同士が連結される。また、第１のパネル１は、パネル連結具４を回動させることで連結を解除して外すことができる。【選択図】  図１ 
2015025284.tif 000002
【特許請求の範囲】
【請求項１】
パネルとこのパネルに隣接して配置される部材の側端部同士を連結するパネル連結構造であって、
前記パネルの側端部には部材に係合する係合片が設けられると共に、パネルの側端部付近にはパネル連結具が軸着され、このパネル連結具が自重により回動し静止した状態で、前記係合片との間で部材の側端部を挟み込むように係合するパネル連結構造。
【請求項２】
前記パネル連結具は、自重により回動し静止した状態で、その一部が部材側に突出することで、部材と係合する請求項１に記載のパネル連結構造。
【請求項３】
前記パネルの側端部に設けられた係合片は部材の外側部と係合し、パネルの側端部に軸着されたパネル連結具は部材の内側部と係合する請求項１又は２に記載のパネル連結構造。
【請求項４】
前記パネルの側端部に設けられた係合片は、シール材を介して部材の外側部と係合する請求項３に記載のパネル連結構造。
【請求項５】
前記部材は、前記パネルに隣接して配置される固定式パネル又は可動式パネルあるいは支柱である請求項１乃至３のいずれかに記載のパネル連結構造。
【請求項６】
パネルの側端部に配置されるパネル連結具であって、
上部がパネルに軸着され、自重により回動し静止した状態で下部の一部がパネルの側端部から外方に突出するパネル連結具。
【請求項７】
パネルの側端部に配置されるパネル連結具であって、
略三角形状をなし、第１の頂点付近がパネルに軸着され、自重により回動し静止した状態で第２及び第３の頂点が第１の頂点より下方に位置し、且つ第２の頂点付近がパネルの側端部から外方に突出するパネル連結具。
【発明の詳細な説明】
【技術分野】
【０００１】
本発明は、プレハブ建築物の外壁、間仕切り壁などを構成する複数のパネルのうち一部のパネルのみを容易に交換することができるパネル連結構造及びパネル連結具に関する。
【背景技術】
【０００２】
従来、プレハブ建築物の外壁などを構成する複数のパネルは、ボルトやネジあるいはパネルを保持する金具等を用いて連結されていた。このため、一部のパネルを部分的に交換する際には連結している全てのパネルを外す必要があり、作業が煩雑になるという問題があった。
【０００３】
そこで、ボルトを緩めるだけでパネルを外すことができるように構成したり（特許文献１参照）、パネルに設けたフックを隣接するパネルのピンに係合させることで連結したり（特許文献２参照）、パネルの間にパネル端面に嵌合する連結手段を介して連結させる構造（特許文献３参照）が提案されていた。
【先行技術文献】
【特許文献】
【０００４】
【特許文献１】特願２００３−１２９５９７号公報
【特許文献２】特開平０９−１９６０２０号公報
【特許文献３】特開平０６−３１６９８０号公報
【発明の概要】
【発明が解決しようとする課題】
【０００５】
しかし、上記従来技術では、構造が複雑になり、コストがかかるという問題があった。また、単なる嵌合でパネル同士を連結すると、十分な連結強度を得ることができないだけでなく、嵌脱を繰り返すことで嵌合部分にわずかな変形が生じて、連結強度が低下するという問題もあった。
【０００６】
本発明が解決しようとする課題は、上記従来技術の問題点を解決し、簡単な構造であって、連結している複数のパネルの一部を容易に交換することが可能であり、繰り返し使用しても連結強度が低下することがないパネル連結構造及びパネル連結具を提供することにある。
【課題を解決するための手段】
【０００７】
上記課題を解決するために、本発明に係るパネル連結構造は、パネルとこのパネルに隣接して配置される部材の側端部同士を連結するパネル連結構造であって、前記パネルの側端部には部材に係合する係合片が設けられると共に、パネルの側端部付近にはパネル連結具が軸着され、このパネル連結具が自重により回動し静止した状態で、前記係合片との間で部材の側端部を挟み込むように係合する。
【０００８】
また、本発明に係るパネル連結具は、パネルの側端部に配置されるパネル連結具であって、略三角形状をなし、第１の頂点付近がパネルに軸着され、自重により回動し静止した状態で第２及び第３の頂点が第１の頂点より下方に位置し、且つ第２の頂点付近がパネルの側端部から外方に突出する。
【発明の効果】
【０００９】
本発明のパネル連結構造では、パネル連結具を回動させるだけでパネルの連結と取り外しを行うことができるので、部材に連結されたパネルを簡単に取り外すことができ、また交換した別のパネルを容易に連結することができる。
【００１０】
また、本発明のパネル連結具は、簡単な構造でありパネルと部材との側端部同士をしっかり連結することができ、長期間の使用によっても連結強度を低下させることがない。
【図面の簡単な説明】
【００１１】
【図１】本発明の第１の実施形態に係るパネル連結構造を示す斜視図である。
【図２】パネル連結具の正面図である。
【図３】図１に示すパネル連結構造において、パネルを交換するときの状態を示す斜視図である。
【図４】図１におけるIV−IV断面図である。
【図５】本発明の第２の実施形態に係るパネル連結構造を示す斜視図である。
【図６】本発明の第３の実施形態に係るパネル連結構造を示す斜視図である。
【図７】図６におけるVII−VII断面図である。
【発明を実施するための形態】
【００１２】
図１は本発明の第１の実施形態に係るパネル連結構造を示す斜視図、図２はパネル連結具の正面図、図３はパネルを取り外して交換するときの状態を示す斜視図である。１は、プレハブ建築物の外壁、室内の間仕切り壁などを構成する第１のパネルである。この第１のパネル１の図中左右の側端部１ａには、パネル外側面１ｃから外方に突出する第１の係合片１ｂが設けられている。この第１の係合片１ｂは、第１のパネル１の約半分の厚みを有し、図３に示すように、側端部１ａに沿って上下方向の全域に設けられている。
【００１３】
２，３は第１のパネル１の左右側に連結される部材としての第２のパネルであり、その側端部２ａ，３ａには、パネル内側面２ｄ，３ｄから外方に突出する第２の係合片２ｂ，３ｂがそれぞれ設けられている。この第２の係合片２ｂ，３ｂは、第２のパネル２，３の約半分の厚みを有し、第１の係合片１ｂに対応するように、側端部２ａ，３ａに沿って上下方向の全域に設けられている。第１の係合片１ｂと第２の係合片２ｂ、３ｂは、第１のパネル１の両側に第２のパネル２，３を連結する際に互いに対面した状態で重なり合って係合し、第１のパネル１の厚みと略同一となる。そのため、第１のパネル１と第２のパネル２，３との接続部にできるパネル同士の接続ライン１ｅ，１ｆの両側に段差が生じることがなく、第１のパネル１と第２のパネル２，３とを同一面上で接続することができる。
【００１４】
４はパネル連結具であり、本実施形態では、第１のパネル１の左右側端部１ａ付近の上下２箇所に配置され、パネル内側面１ｄに軸５により回動自在に軸着されている。図２に示したように、このパネル連結具４は、３つの角を丸くした略三角形をなす薄鉄板で形成されており、その重心位置６より上部が軸５によってパネル１に軸着されている。本実施形態では、重心位置６から外れた第１の頂点６ａ付近が軸着されている。このため、このパネル連結具４は、図２に示すように、自重により回動し静止した通常状態において、軸着された第１の頂点６ａが上方、他の第２の頂点６ｂ及び第３の頂点６ｃが下方に位置することになる。特にこの実施形態では、第２の頂点６ｂの方が第３の頂点６ｃより下方に延びている。この状態のときに、下方の第２の頂点６ｂが第１のパネル１と第２のパネル２，３との間の接続ライン１ｅ，１ｆを越えて第２のパネル２，３側に突出するように設定されており、この突出した部分が第２のパネル２，３の側端部２ｂ，３ｂの内側部と係合するパネル係合部４ａとなる。このパネル係合部４ａは、通常状態において側端部１ａの第１の係合片１ｂと対面し、第２のパネル２との連結時には接続ライン１ｅを越えて第２のパネル２側に突出する一方、パネル連結具４を仮想線で示した方向に回動させ、パネル内側面１ｄに重なるように接続ライン１ｅより手前にまで引っ込めることで、第１の係合片１ｂとは対面しない状態となる。
【００１５】
次に、上記構成からなるパネル連結構造により第１のパネル１を第２のパネル２，３に連結する場合を説明する。先ず第１のパネル１を第２のパネル２，３の外側に配置し、第１のパネル１に設けられた各パネル連結具４を回動させてパネル係合部４ａがパネル内側面１ｄに重なる非係合状態を保持する。次に、第１のパネル１を外側から嵌め入れ、左右側端部１ａの第１係合片１ｂを第２のパネル２，３の第２係合片２ｂ，３ｂにそれぞれ突き当て重ね合わせて係合させる。その後、パネル連結具４の非係合状態を解除すると自重により回動し、パネル係合部４ａが第１のパネル１と第２のパネル２，３との接続ライン１ｅ，１ｆを越えて第２のパネル２，３側に突出した状態で静止し、その係合状態を保持する。第１のパネル１は、第１の係合片１ａと第２のパネル２，３の第２の係合片２ｂ，３ｂとの係合によって内側への動きが拘束され、またパネル連結具４のパネル係合部４ａによって外側への動きが拘束されるので、結果的に第２のパネル２，３を第１の係合片１ａとパネル係合部４ａとで挟持した状態で連結されることになる。
【００１６】
上記第１のパネル１は、隣接する第２のパネル２，３と連結した状態では、パネル連結具４を回動させて係合状態を解除しない限り外れることがない。そして、このパネル連結具４は、自重により静止した通常状態において、パネル係合部４ａが第１のパネル１と第２のパネル２，３との接続ライン１ｅ，１ｆを越えて第２のパネル２，３側に突出して係合状態を保持するように設定されているため、長期間の使用によって係合状態が低下することがなく、また振動や衝撃がパネルに伝わってパネル連結具４が多少回動したとしても、自重により静止状態にすぐ戻ることで係合状態が保持されることになる。
【００１７】
一方、上記のように連結された第１のパネル１を第２のパネル２，３から外すには、静止状態にあるパネル連結具４を回動させ、パネル係合部４ａを第２のパネル２，３との接続ライン１ｅ，１ｆより引っ込めて非係合状態とし、その状態を保持する。本実施例においては左右の側端部１ａ付近に上下２つずつパネル連結具４を設けているので、これらパネル連結具４を全て非係合状態に保つ。これにより、第１の係合片１ｂと第２の係合片２ｂ，３ｂは突き当てられただけの状態となり、容易に第１のパネル１を外側へ押し外すことができる。
【００１８】
上記パネル連結構造では、第１のパネル１を簡単に連結したり外したりすることができるので、図３に示すように、第２のパネル２，３を外すことなく窓７が設けられた第１のパネル１を、ドア８が設けられた他の第１のパネル１に簡単に交換することができる。例えば、イベント用のプレハブ建築物などにおいて、イベント期間中に用途変更などのために第１のパネル１の交換が必要となった時にも即座に対応することが可能となる。
【００１９】
また、本実施形態においては、図４に示すように、第１の係合片１ｂと第２の係合片２ｂ，３ｂとの間に弾性を有するシール材９を設けている。このシール材９はゴムシートなどからなり、第１の係合片１ｂと第２の係合片２ｂ，３ｂとを係合させた時に、両者間の水密性あるいは気密性を高めることができ、雨風の浸入を防ぐことができる。更に、ゴムシートなどの反発力を有するシート材９を用いることにより、第２の係合片２ｂ，３ｂとパネル連結具４のパネル係合部４ａとを押し付けて、その係合を確かなものにすることができる。
【００２０】
図５は本発明の第２の実施形態を示したものであり、上記パネル連結構造を連続して設けた場合の例である。図５に示すパネル連結構造では、２枚の第１のパネル１，１２を取り外し可能としている。第１のパネル１及び隣接する第２のパネル３は、図１に示すものと同じ構成のものである。また、第１のパネル１２には、第１のパネル１の側端部１ａに対応するように、左右の側端部１２ａにパネル内端面１２ｄから外方に突出する第１の係合片１２ｂが外方に突出している。この第１の係合片１２ｂは、第１のパネル１２の約半分の厚みを有し、第１の係合片１ｂに対応するように、側端部１２ａの上下方向の全域に設けられている。
【００２１】
一方、第１のパネル１２に連結される第２のパネル２の第２の係合片２ｂは、先の実施例とは異なって、第１のパネル１２の第１の係合片１２ｂに対応するように、側端部２ａにパネル外側面１２ｃから外方に突出するように設けられている。また、パネル連結具４は、第１のパネル１に加えて隣接する第２のパネル２にも設けられており、第１のパネル１２と第１パネル１との連結の他、第１のパネル１２と第２のパネル２との連結も可能としている。このように構成することで、第１のパネル１，１２を別々にあるいは２枚一緒に取り外して交換することが可能となる。なお、第１のパネル１２のみを取り外す場合は内側に外れる。
【００２２】
上記図１に示した第１の実施形態では、第１のパネル１の第１の係合片１ｂをパネル外側面１ｃに設け、隣接する第２のパネル２，３の第２の係合片２ｂ，３ｂをパネル内側面２ｄ，３ｄに設けているが、第１の係合片１ｂをパネル内側面１ｄに、第２の係合片２ｂ，３ｂをパネル外側面２ｃ，３ｃに設けても良い。また、図５に示した第１のパネル１，１２及び第２のパネル２，３においても、同様に各係合片がそれぞれ対応するようにその前後位置を変えて設けても良い。
【００２３】
また、上記実施形態におけるパネル連結具４は、第１のパネル１のパネル内側面１ｄに軸着されているが、第２のパネル２，３の外側面２ｃ，３ｃに軸着することもできる。更に、上記実施形態では、このパネル連結具４を第１のパネル１の左右の側端部１ａ付近に上下２つずつ設けているが、その数はパネルの大きさやパネル連結具の大きさに応じて増やしても良い。また、その際に、左右、異なる個数を設けても良い。更にまた、上記の実施形態ではパネル係合部が第２の頂点６ｂ側に設けられているが、第３の頂点６ｃ側に設けることや、両方の頂点側に設けることも可能である。
【００２４】
更に、このパネル連結具４は、上記実施形態においては略三角形をなすが、自重により回動し静止することで隣接する第２のパネル側に突出する係合部が形成されるものであれば、特に形状には限定されないものであり、例えば円形、Ｌ字形等その他の形状であっても良い。
【００２５】
図６及び図７には、本発明に係るパネル連結構造の第３の実施形態が示されている。この実施形態では、第１の実施形態における第１のパネル１を同一形状からなる３個の分割パネル１５に置き換え、第２のパネル２，３を左右一対の支柱１８に置き換えている。第１のパネルと同様、各分割パネル１５の左右の側端部１５ａにはそれぞれ係合片１５ｂが設けられている。この係合片１５ｂは分割パネル１５の厚みの半分より薄くてもよい。また、各分割パネル１５の各側端部１５ａには、係合片１５ｂより内側の位置に上記と同じ構成からなるパネル連結具４が上下の略中間位置に配置されている。これらのパネル連結具４の形状や取付け手段などは、先の実施形態と同様なので、詳細な説明を省略する。
【００２６】
一方、この実施形態における部材は、前述したように各分割パネル１５の左右の側端部１５ａを支持する左右一対の支柱１８からなる。この支柱１８は、左右両側に支柱に沿ったスリット１９を有する断面Ｈ型形状の金属製の支柱であり、中央の仕切板２０によって外側板２１ａと内側板２１ｂとを連結した構造である。
【００２７】
この実施形態では、下段の分割パネル１５から支柱１８に連結し、中段、上段と分割パネル１５を順次積み上げることで一枚の壁面パネルとすることができる。例えば、図６に示されているように、上段の分割パネルを支柱１８に連結する場合には、２本の支柱１８の間に外側から分割パネル１５を配置し、左右の側端部１５ａの係合片１５ｂを支柱１８の外側板２１ａに外側から係合させる。なお、その際には、分割パネル１５のパネル連結具４を内方に回動させてパネルの内側面に重なるように引っ込めておく。支柱１８の外側面２１ａに係合させた後は、中段の分割パネル１５に示されるように、パネル連結具４が自重により回動してその一部が支柱１８のスリット１９内に突入し、パネル係合部４ａが外側板２１ａのスリット側の端部に係合する。このように、分割パネル１５は、左右両側の係合片１５ｂとパネル連結具４との間で支柱１８を挟み込むようにして固定される。なお、この実施形態においても、分割パネル１５の係合片１５ｂと支柱１８の外側板２１ａとの間にシール材９が設けられる。
【００２８】
上記のように、各分割パネル１５を順次支柱１８に固定していくことで、簡易にパネルによる壁面を形成することができる。このようなパネル連結構造では、図７に示したように、支柱１８の外側板２１ａが各分割パネル１５の側端部１５ａによって隠れて外部から見えないので、すっきりした外観形状となりデザイン的にも優れたものとなる。また、パネルが分割されていることで、パネルの装着と脱着を一人でも簡単に行うことができる。
【符号の説明】
【００２９】
１，１２  第１のパネル
１ａ，２ａ，３ａ，１２ａ，１５ａ  側端部
１ｂ，１２ｂ  第１の係合片
１ｃ，２ｃ，３ｃ，１２ｃ  パネル外側面
１ｄ，２ｄ，３ｄ，１２ｄ  パネル内側面
１ｅ，１ｆ  接続ライン
２，３  第２のパネル（部材）
２ａ，３ａ  側端部
２ｂ，３ｂ  第２の係合片
４  パネル連結具
４ａ  パネル係合部
５  軸
６  重心位置
６ａ  第１の頂点
６ｂ  第２の頂点
６ｃ  第３の頂点
７  窓
８  ドア
９  シール材
１５  分割パネル
１５ｂ  係合片
１８  支柱（部材）
１９  スリット
２０  仕切板
２１ａ  外側板
２１ｂ  内側板
【図１】
2015025284.tif 000003
【図２】
2015025284.tif 000004
【図３】
2015025284.tif 000005
【図４】
2015025284.tif 000006
【図５】
2015025284.tif 000007
【図６】
2015025284.tif 000008
【図７】
2015025284.tif 000009